(57)【要約】【課題】  外部端末から送信された情報に基づく動作を確実に加熱調理器に実行させることができる技術を提供する。【解決手段】  加熱調理システムは、加熱調理器と、外部端末と、中継装置とを備える。外部端末は、所定の動作の実行を加熱調理器に指示するための指示情報を送信する端末側通信部を有している。加熱調理器は、指示情報を受信する調理器側通信部と、指示情報が示す所定の動作を実行する制御部とを有している。中継装置は、端末側通信部から送信された指示情報を記憶する記憶部を有している。加熱調理システムは、加熱調理器の状態を判断する状態判断手段を備えている。中継装置は、状態判断手段による判断に基づいて、記憶部に記憶されている指示情報を調理器側通信部に送信する。制御部は、調理器側通信部が指示情報を受信した場合に、指示情報が示す所定の動作を実行する。【選択図】図３
2020120165.tif 000002
【特許請求の範囲】
【請求項１】
加熱対象物を加熱する加熱調理器と、外部端末と、前記加熱調理器及び前記外部端末と通信可能な中継装置と、を備える加熱調理システムであって、
前記外部端末は、所定の動作の実行を前記加熱調理器に指示するための指示情報を送信する端末側通信部を有しており、
前記加熱調理器は、
前記指示情報を受信する調理器側通信部と、
前記指示情報が示す前記所定の動作を実行する制御部と、を有しており、
前記中継装置は、前記端末側通信部から送信された前記指示情報を記憶する記憶部を有しており、
前記加熱調理システムは、前記加熱調理器の状態を判断する状態判断手段を備えており、
前記中継装置は、前記状態判断手段による判断に基づいて、前記記憶部に記憶されている前記指示情報を前記調理器側通信部に送信し、
前記制御部は、前記調理器側通信部が前記指示情報を受信した場合に、前記指示情報が示す前記所定の動作を実行する、
加熱調理システム。
【請求項２】
前記加熱調理器は、前記調理器側通信部に電力を供給する供給部をさらに有しており、
前記状態判断手段は、前記供給部から前記調理器側通信部に電力が供給されているか否かを判断し、
前記中継装置は、
前記状態判断手段により、前記供給部から前記調理器側通信部に電力が供給されていないと判断される間は、前記調理器側通信部へ前記指示情報を送信せず、
前記状態判断手段により、前記供給部から前記調理器側通信部に電力が供給されていると判断された場合に、前記調理器側通信部へ前記指示情報を送信する、請求項１に記載の加熱調理システム。
【請求項３】
前記中継装置は、前記指示情報を前記記憶部に記憶した場合に、前記状態判断手段による判断に関わらず、記憶した前記指示情報を前記調理器側通信部へ繰り返し送信し、
前記調理器側通信部は、前記指示情報を受信した場合に、前記指示情報を受信したことを示す受信済情報を前記中継装置に送信し、
前記中継装置は、前記状態判断手段により、前記受信済情報が前記調理器側通信部から送信されたと判断された場合に、前記指示情報の送信を中止する、請求項１に記載の加熱調理システム。
【請求項４】
前記加熱調理器は、前記加熱調理器に対するユーザ操作を入力するための操作部をさらに有しており、
前記指示情報は、前記操作部へのユーザ操作の入力を禁止する情報である、請求項１〜３のいずれか一項に記載の加熱調理システム。
【請求項５】
前記加熱調理器の電源は、乾電池である、請求項１〜４のいずれか一項に記載の加熱調理システム。
【請求項６】
前記中継装置と前記加熱調理器との間の通信は、近距離無線通信規格に従った無線通信である、請求項１〜５のいずれか一項に記載の加熱調理システム。
【発明の詳細な説明】
【技術分野】
【０００１】
本明細書に開示の技術は、加熱調理システムに関する。
【背景技術】
【０００２】
特許文献１には、加熱調理器と、外部端末と、を備える加熱調理システムが開示されている。この加熱調理システムでは、外部端末が、加熱調理器により実行可能な特定機能の実行を制限するための制限情報を加熱調理器に送信する。そして、制限情報を受信した加熱調理器は、当該制限情報に基づいて、当該特定機能の実行を制限する。
【先行技術文献】
【特許文献】
【０００３】
【特許文献１】特開２０１４−１６５５４８号公報
【発明の概要】
【発明が解決しようとする課題】
【０００４】
特許文献１の技術では、加熱調理器が外部端末から送信される情報を常時受信可能な状態であることが想定されている。このため、例えば、加熱調理器の電源がＯＦＦ状態である場合や、加熱調理器が或る機能を実行中である場合等、何らかの事情により加熱調理器が外部端末から送信された情報を受信できない状態である場合等には、当該情報に基づく動作を実行することができない。本明細書では、外部端末から送信された情報に基づく動作を確実に加熱調理器に実行させることができる技術を提供する。
【課題を解決するための手段】
【０００５】
本明細書が開示する加熱調理システムは、加熱対象物を加熱する加熱調理器と、外部端末と、前記加熱調理器及び前記外部端末と通信可能な中継装置と、を備える。前記外部端末は、所定の動作の実行を前記加熱調理器に指示するための指示情報を送信する端末側通信部を有している。前記加熱調理器は、前記指示情報を受信する調理器側通信部と、前記指示情報が示す前記所定の動作を実行する制御部と、を有している。前記中継装置は、前記端末側通信部から送信された前記指示情報を記憶する記憶部を有している。前記加熱調理システムは、前記加熱調理器の状態を判断する状態判断手段を備えている。前記中継装置は、前記状態判断手段による判断に基づいて、前記記憶部に記憶されている前記指示情報を前記調理器側通信部に送信する。前記制御部は、前記調理器側通信部が前記指示情報を受信した場合に、前記指示情報が示す前記所定の動作を実行する。
【０００６】
上記の加熱調理システムでは、中継装置は、状態判断手段の判断に基づいて外部端末から送信された指示情報を加熱調理器に送信する。例えば、中継装置は、上記判断が、指示情報を加熱調理器が受信できないという判断である場合や、指示情報に基づく所定の動作を加熱調理器が実行できないという判断である場合には指示情報を加熱調理器に送信しない。そして、中継装置は、受信した指示情報を記憶部に記憶しておき、上記判断が、指示情報を加熱調理器が受信できるという判断や、当該所定の動作を実行できるという判断となったときに指示情報を加熱調理器に送信する。このため、加熱調理器にとって不都合なタイミングで外部端末から指示情報が送信されても、当該指示情報が示す動作を確実に加熱調理器に実行させることができる。
【０００７】
本明細書が開示する加熱調理システムでは、前記加熱調理器は、前記調理器側通信部に電力を供給する供給部をさらに有してもよい。前記状態判断手段は、前記供給部から前記調理器側通信部に電力が供給されているか否かを判断してもよい。前記中継装置は、前記判断手段により前記供給部から前記調理器側通信部に電力が供給されていないと判断される間は、前記調理器側通信部へ前記指示情報を送信せず、前記判断手段により前記供給部から前記調理器側通信部に電力が供給されていると判断された場合に、前記調理器側通信部へ前記指示情報を送信してもよい。この構成では、中継装置は、調理器側通信部に電力が供給されていない場合には、指示情報を受信しても当該指示情報を加熱調理器に送信しない。このため、中継装置から加熱調理器への通信回数を低減することができ、中継装置の消費電力を低減することができる。
【０００８】
本明細書が開示する加熱調理システムでは、前記中継装置は、前記指示情報を前記記憶部に記憶した場合に、前記状態判断手段による判断に関わらず、記憶した前記指示情報を前記調理器側通信部へ繰り返し送信してもよい。前記調理器側通信部は、前記指示情報を受信した場合に、前記指示情報を受信したことを示す受信済情報を前記中継装置に送信してもよい。前記中継装置は、前記状態判断手段により、前記受信済情報が前記調理器側通信部から送信されたと判断された場合に、前記指示情報の送信を中止してもよい。この構成では、中継装置は、加熱調理器が指示情報を受信可能な状態であるか否かに関わらず、指示情報を加熱調理器に送信し続ける。そして、中継装置は、加熱調理器から受信済情報が送信されたという判断（例えば、受信済情報の受信）に応じて指示情報の送信を中止する。このため、このような構成では、加熱調理システムを簡易に構築することができ、加熱調理システムの複雑化を回避することができる。
【０００９】
本明細書が開示する加熱調理システムでは、前記加熱調理器は、前記加熱調理器に対するユーザ操作を入力するための操作部をさらに有してもよい。前記指示情報は、前記操作部へのユーザ操作の入力を禁止する情報であってもよい。このような構成によれば、状態判断手段の判断に応じて、速やかに操作部へのユーザ操作の入力が禁止される。このため、加熱調理器の予期しない動作を防止することができ、安全性を向上させることができる。
【００１０】
本明細書が開示する加熱調理システムでは、前記加熱調理器の電源は、乾電池であってもよい。本明細書に開示の加熱調理システムでは、外部端末から送信された指示情報が中継装置に記憶される。したがって、加熱調理器は、指示情報を受信するために常時ＯＮ状態であることを要さない。このため、加熱調理器の電源に乾電池を利用した場合であっても、乾電池の長寿命化を実現することができる。
【００１１】
本明細書が開示する加熱調理システムでは、前記中継装置と前記加熱調理器との間の通信は、近距離無線通信規格に従った無線通信であってもよい。このような構成では、中継装置と加熱調理器の間の通信における消費電力を低減することができる。
【図面の簡単な説明】
【００１２】
【図１】実施例１に係る加熱調理システムのブロック図。
【図２】実施例１に係る加熱調理器の斜視図。
【図３】実施例１の加熱調理システムを利用して実行される処理を示すシーケンス図（ケースＡ）。
【図４】外部端末に表示される電源ＯＦＦ画像の一例を示す図。
【図５】外部端末に表示されるロック設定画面の一例を示す図。
【図６】外部端末に表示される予約中画像の一例を示す図。
【図７】外部端末に表示される設定完了画像の一例を示す図。
【図８】実施例１の加熱調理システムを利用して実行される処理を示すシーケンス図（ケースＢ）。
【図９】外部端末に表示される実行中画像の一例を示す図。
【図１０】外部端末に表示される終了画像の一例を示す図。
【図１１】実施例２の加熱調理システムを利用して実行される処理を示すシーケンス図（ケースＣ）。
【発明を実施するための形態】
【００１３】
（実施例１）
図面を参照して、実施例１の加熱調理システム１について説明する。加熱調理システム１は、加熱調理器１０、台所リモコン１００、外部端末２００及びサーバ３００を備える。
【００１４】
台所リモコン１００は、湯を生成して住宅に供給する給湯器（図示省略）を遠隔操作するためのコントローラである。台所リモコン１００は、加熱調理器１０とともに台所に設置されるリモコンである。台所リモコン１００は、例えば、加熱調理器１０のベンダによって製造される。外部端末２００は、加熱調理器１０のユーザが利用可能な外部端末である。外部端末２００は、例えば、スマートフォン、タブレット端末、デスクトップＰＣ（Personal Computerの略）、ノートＰＣ等の端末装置である。
【００１５】
加熱調理器１０と台所リモコン１００は、Ｂｌｕｅｔｏｏｔｈ（登録商標）方式に従った無線通信（以下、「ＢＴ通信」という。）を利用した通信を実行可能である。また、台所リモコン１００と外部端末２００も、ＢＴ通信を利用した通信を実行可能である。
【００１６】
台所リモコン１００、外部端末２００及びサーバ３００は、それぞれ、Ｗｉ−Ｆｉ（登録商標）方式に従った無線通信を実行して、インターネット６に接続可能である。即ち、台所リモコン１００と、外部端末２００と、サーバ３００とは、インターネット６を介して互いに通信可能である。
【００１７】
（加熱調理器１０の構成）
図１、図２を参照して、加熱調理器１０について説明する。図２に示すように、加熱調理器１０は、システムキッチンに組み込んで使用されるガス燃焼式のビルトインコンロである。加熱調理器１０は、各操作部１６、２６の操作に応じた加熱量の調整による調理だけでなく、自動調理を実行可能である。加熱調理器１０は、本体１０ａと、本体１０ａの上部に配置されている天板１０ｂと、天板１０ｂから露出している３個のコンロバーナ１２ａ〜１２ｃを備えている。各コンロバーナ１２ａ〜１２ｃは、加熱対象（例えば、調理容器）を加熱するためバーナである。コンロバーナ１２ａには、ガス供給路（図示省略）が接続されている。ガス供給路には、コンロバーナ１２ａへのガスの供給量を調整するための流量調整弁（図示省略）が設けられている。コンロバーナ１２ａは、コンロバーナ１２ａにガスが供給されている状態でイグナイタ（図示省略）を動作させることで、点火する。コンロバーナ１２ａへのガスの供給量を調整することで、コンロバーナ１２ａの加熱量を調整することができる。そして、コンロバーナ１２ａへのガスの供給が停止されることで、コンロバーナ１２ａは消火される。コンロバーナ１２ｂ、１２ｃは、コンロバーナ１２ａと同様の構造を有する。なお、以下では、コンロバーナ１２ａ〜１２ｃを「コンロバーナ１２」と総称する場合がある。
【００１８】
本体１０ａは、グリル庫１１、グリル扉１１ａ、コンロ表示部１４、コンロ操作部１６、グリル表示部２４、グリル操作部２６、及び、電源スイッチ３０を備える。グリル庫１１は、本体１０ａの内部に設けられており、調理物を収容する。グリル扉１１ａは、本体１０ａの前面１０ｃに配置されており、グリル庫１１を開閉する。なお、グリル庫１１の内部には、グリル庫１１に収容された調理物を加熱するグリルバーナ２２（図１参照）が設けられている。また、本体１０ａには、加熱調理器１０に電力を供給する乾電池（図示省略）が格納されている。
【００１９】
コンロ表示部１４、コンロ操作部１６、及び、電源スイッチ３０は、本体１０ａの前面１０ｃにおいてグリル扉１１ａの右側に設けられている。グリル表示部２４とグリル操作部２６は、本体１０ａの前面１０ｃにおいてグリル扉１１ａの左側に設けられている。
【００２０】
コンロ表示部１４は、３個のコンロバーナ１２ａ〜１２ｃのそれぞれの動作状態や実行中の機能に関する情報（例えば、自動調理のレシピ、調理モード等）を表示する。グリル表示部２４は、グリルバーナ２２の動作状態、実行中の機能に関する情報を表示する。
【００２１】
コンロ操作部１６は、３個の加熱量操作部６１ａ〜６１ｃと３個のパネル操作部６２ａ〜６２ｃを備える。加熱量操作部６１ａは、コンロバーナ１２ａの点火及び消火とコンロバーナ１２ａの加熱量の調整を行うための操作部である。加熱量操作部６１ａは、オルタネイト型のスイッチである。ユーザによって加熱量操作部６１ａを消火位置から点火位置に移動させるための操作（以下では、「点火操作」と呼ぶ）が実行されると、コンロバーナ１２ａが点火され、ユーザによって加熱量操作部６１ａを点火位置から消火位置に移動させるための操作（以下では、「消火操作」と呼ぶ）が実行されると、コンロバーナ１２ａが消火される。点火位置とは、加熱量操作部６１ａの前面が本体１０ａの前面１０ｃよりも前方に突出している位置であり、消火位置とは、加熱量操作部６１ａが本体１０ａ内に収容されている位置である。また、ユーザは、加熱量操作部６１ａが点火位置に位置している状態において、加熱量操作部６１ａを時計方向又は反時計方向に操作することで、コンロバーナ１２ａの加熱量を調整することができる。加熱量操作部６１ｂ、６１ｃは、加熱量操作部６１ａと同じ構造を有する。
【００２２】
パネル操作部６２ａは、コンロバーナ１２ａを利用した自動調理の設定等を受け付け可能な操作部である。パネル操作部６２ｂ、６２ｃは、パネル操作部６２ａと同じ構造を有する。
【００２３】
グリル操作部２６は、加熱量操作部６３とパネル操作部６４を備える。加熱量操作部６３は、グリルバーナ２２の点火及び消火とグリルバーナ２２の加熱量の調整を行うための操作部である。加熱量操作部６３の構造は、コンロ操作部１６の加熱量操作部６１ａと同様である。パネル操作部６４は、グリルバーナ２２を利用した自動調理の設定等を受け付け可能な操作部である。パネル操作部６４の構造は、コンロ操作部１６のパネル操作部６２ａと同様である。
【００２４】
また、図１に示すように、加熱調理器１０は、ＢＴインタフェース４０と制御部５０を備える。ＢＴインタフェース４０は、外部装置（例えば、台所リモコン１００）とのＢＴ通信を実行するための無線インタフェースである。なお、以下では、インタフェースのことを「Ｉ／Ｆ」と記載する場合がある。
【００２５】
制御部５０は、揮発性メモリ、不揮発性メモリなどによって構成されるメモリ５２を備える。制御部５０は、メモリ５２に格納されているプログラム５４に従って、加熱調理器１０の各部１２〜４０の動作を制御する。また、本実施例では、制御部５０は、後述するように、外部端末２００から台所リモコン１００を介してロック機能設定情報を受信することに応じて、加熱調理器１０の各操作部１６、２６に対する操作入力を禁止するロック機能を有効化する。すなわち、ロック機能設定情報は、加熱調理器１０にロック機能の有効化を指示するための情報である。
【００２６】
また、加熱調理器１０は、電源スイッチ３０が操作されると、コンロ表示部１４、グリル表示部２４、及び、ＢＴＩ／Ｆ４０への電力供給を開始する。また、加熱調理器１０は、電源スイッチ３０が操作された後に、所定の時間に亘ってコンロ操作部１６及びグリル操作部２６が操作されない場合に、上記の各部１４、２４、４０への電力供給を停止する。これにより、加熱調理器１０の消費電力が低減される。
【００２７】
（台所リモコン１００の構成）
台所リモコン１００は、ＢＴＩ／Ｆ１１０、無線ＬＡＮＩ／Ｆ１１２及び制御部１５０を備える。台所リモコン１００は、ＢＴＩ／Ｆ１１０を介して、加熱調理器１０とのＢＴ通信を実行可能である。また、無線ＬＡＮＩ／Ｆ１１２は、Ｗｉ−Ｆｉ方式に従った無線通信を実行するための無線Ｉ／Ｆである。台所リモコン１００は、無線ＬＡＮＩ／Ｆ１１２及びインターネット６を介して、外部端末２００及びサーバ３００と通信可能である。
【００２８】
制御部１５０は、揮発性メモリ、不揮発性メモリなどによって構成されるメモリ１５２を備える。制御部１５０は、メモリ１５２に格納されているプログラム１５４に従って、様々な処理を実行する。また、制御部１５０は、外部端末２００からロック機能設定情報を受信することに応じて、メモリ１５２に当該ロック機能設定情報を記憶する。
【００２９】
（外部端末２００の構成）
外部端末２００は、ＢＴＩ／Ｆ２１０、無線ＬＡＮＩ／Ｆ２１２、表示部２１４及び制御部２５０を備える。外部端末２００は、ＢＴＩ／Ｆ２１０を介して、台所リモコン１００とのＢＴ通信を実行可能である。外部端末２００は、無線ＬＡＮＩ／Ｆ２１２及びインターネット６を介して、台所リモコン１００及びサーバ３００と通信可能である。
【００３０】
表示部２１４は、様々な情報を表示するためのディスプレイである。表示部２１４は、いわゆるタッチパネルとしても機能する。すなわち、表示部２１４は、操作部としても機能する。制御部２５０は、揮発性メモリ、不揮発性メモリなどによって構成されるメモリ２５２を備える。制御部２５０は、メモリ２５２に格納されているプログラム２５４、２５６に従って、様々な処理を実行する。メモリ２５２は、基本的な処理を実現するためのＯＳ（Operating Systemの略）プログラム２５４と、調理器アプリケーションプログラム（以下、「調理器アプリ」という。）２５６を記憶する。
【００３１】
調理器アプリ２５６は、加熱調理器１０のベンダによって提供されるプログラムであり、加熱調理器１０の各種機能の設定を行ったり、加熱調理器１０に自動調理を実行させるためのプログラムである。調理器アプリ２５６は、例えば、ベンダによって提供されるインターネット上のサーバ（図示省略）から外部端末２００にインストールされる。
【００３２】
（サーバ３００の構成）
サーバ３００は、加熱調理器１０の製造元によって提供されるサーバであり、当該製造元が販売した機器の情報を収集するためのサーバである。サーバ３００は、制御部３５０を備える。制御部３５０は、メモリ３５２に格納されているプログラム（不図示）に従って、サーバ３００の動作を制御する。
【００３３】
（具体的なケース：図３、図８）
図３、図８を参照して、本実施例の加熱調理システム１によって実現される具体的なケースＡ、Ｂを説明する。各ケースＡ、Ｂでは、外部端末２００のユーザは、外部端末２００を所持して外出している状況を想定している。したがって、各ケースＡ、Ｂでは、台所リモコン１００と外部端末２００との距離がＢＴ通信を実行可能な距離よりも長い。このため、台所リモコン１００と外部端末２００はＢＴ通信を実行することができない。後述するケースＣ（図１１）でも同様である。なお、以下では、理解の容易化のために、各デバイスの制御部（例えば、制御部５０）が実行する動作を、制御部を主体として記載せずに、各デバイス（例えば、加熱調理器１０）を主体として記載する。また、図３、図８では、一点鎖線の矢印がＢＴ通信を示し、実線の矢印がインターネット６を利用した通信を示す。後述するケースＣ（図１１）でも同様である。
【００３４】
（ケースＡ；図３）
ケースＡの初期状態では、加熱調理器１０の電源がＯＦＦ状態となっている。したがって、加熱調理器１０のＢＴＩ／Ｆ４０には電力が供給されておらず、加熱調理器１０は、外部装置との通信を実行することができない。
【００３５】
Ｔ１０では、ユーザは、外部端末２００を操作して、調理器アプリ２５６を起動する。すると、外部端末２００は、Ｔ１２において、調理器アプリ２５６を起動したことを示すアプリ起動情報を、無線ＬＡＮＩ／Ｆ２１２を介して台所リモコン１００へ送信する。
【００３６】
台所リモコン１００は、Ｔ１２においてアプリ起動情報を受信すると、Ｔ１４において、ＢＴＩ／Ｆ１１０を介して、加熱調理器１０の状態に関する状態情報を要求する状態情報要求を加熱調理器１０に送信する。状態情報は、例えば、加熱調理器１０が特定の機能を実行中である状態であることを示す情報や、加熱調理器１０が待機状態であることを示す情報である。
【００３７】
ここで、加熱調理器１０のＢＴＩ／Ｆ４０には電力が供給されていないため、加熱調理器１０は台所リモコン１００との通信を実行できない。このため、加熱調理器１０は、Ｔ１４において台所リモコン１００から送信された状態情報要求を受信することができない。したがって、この時点では、加熱調理器１０は、台所リモコン１００に状態情報を送信しない。
【００３８】
上記のように、台所リモコン１００は、加熱調理器１０から状態情報を受信しない。したがって、台所リモコン１００は、所定のタイムアウト期間が経過すると、加熱調理器１０の電源がＯＦＦ状態であると判断する。そして、台所リモコン１００は、Ｔ１６において、無線ＬＡＮＩ／Ｆ１１２を介して、加熱調理器１０の電源がＯＦＦ状態であることを示す電源ＯＦＦ情報を外部端末２００に送信する。
【００３９】
外部端末２００は、Ｔ１６において電源ＯＦＦ情報を受信すると、Ｔ１８において、図４に示すように、加熱調理器１０の電源がＯＦＦ状態であることを示す電源ＯＦＦ画像Ｇ１をホーム画面Ｓ１上に表示する。これにより、ユーザは、現在加熱調理器１０がＯＦＦ状態であるために、加熱調理器１０の各種機能の設定等を実行することを、外部端末２００を介して指示することができない状態であることを知ることができる。ホーム画面Ｓ１は、ロック設定ボタンＢ１及び自動調理設定ボタンＢ２を含む。
【００４０】
Ｔ２０において、ユーザは、外部端末２００を操作して、加熱調理器１０のロック機能を有効化するためのロック設定操作を入力する。具体的には、例えば、ユーザが、図４に示すロック設定ボタンＢ１を操作することにより、図５に示す加熱調理器１０のロック機能を設定するロック設定画面Ｓ２に遷移させる。そして、ユーザが、コンロ操作部１６及びグリル操作部２６のロック機能を有効化するための操作（本実施例では、スライドボタンＢ３、Ｂ４をスライドさせる操作）を入力して完了ボタンＢ５を操作する。すると、外部端末２００は、Ｔ２２において、ロック機能の有効化を指示するロック機能設定情報を、無線ＬＡＮＩ／Ｆ２１２を介して台所リモコン１００に送信する。その後、外部端末２００は、Ｔ２４において、図６に示すように、加熱調理器１０のロック機能の有効化の予約を受け付けたことを示す予約中画像Ｇ２を表示する。なお、図５に示す態様は一例であり、例えば、単一のスライドボタンを操作することにより、コンロ操作部１６及びグリル操作部２６の双方に対するロック機能を設定可能としてもよい。また例えば、コンロバーナ１２ａ、１２ｂ、１２ｃそれぞれに対応したスライドボタンを用意して、コンロバーナ１２毎にロック機能を設定可能としてもよい。
【００４１】
一方、台所リモコン１００は、Ｔ２２においてロック機能設定情報を受信すると、Ｔ２６において、ロック機能設定情報をメモリ１５２に記憶する。
【００４２】
その後、加熱調理器１０は、Ｔ２８において、ユーザによる電源ＯＮ操作の入力（すなわち、電源スイッチ３０の操作入力）を受け付けると、Ｔ３０において、加熱調理器１０の電源をＯＦＦ状態からＯＮ状態に切り換える。これにより、ＢＴＩ／Ｆ４０に電力が供給される。すると、加熱調理器１０は、Ｔ３２において、状態情報として、加熱調理器１０の電源がＯＮ状態であることを示す電源ＯＮ情報を、ＢＴＩ／Ｆ４０を介して台所リモコン１００に送信する。
【００４３】
台所リモコン１００は、Ｔ３２において電源ＯＮ情報を受信すると、Ｔ３３において、電源ＯＮ情報を無線ＬＡＮＩ／Ｆ１１２を介して外部端末２００に送信する。
【００４４】
外部端末２００は、Ｔ３３において電源ＯＮ情報を受信すると、Ｔ３４において、加熱調理器１０の電源がＯＮ状態であることを示す電源ＯＮ画像Ｇ３（図７参照）をホーム画面Ｓ１に表示する。
【００４５】
一方、台所リモコン１００は、Ｔ３２において電源ＯＮ情報を受信すると、Ｔ３５において、Ｔ２６で記憶したロック機能設定情報を、ＢＴＩ／Ｆ１１０を介して加熱調理器１０に送信する。
【００４６】
加熱調理器１０は、Ｔ３５においてロック機能設定情報を受信すると、Ｔ３６において、ロック機能を有効化する。これにより、各操作部１６、２６への操作入力が禁止される。その後、加熱調理器１０は、Ｔ３８において、ロック機能を有効化したことを示すロック機能有効化情報を、ＢＴＩ／Ｆ４０を介して台所リモコン１００に送信する。
【００４７】
台所リモコン１００は、Ｔ４０において、ロック機能有効化情報を無線ＬＡＮＩ／Ｆ１１２を介して外部端末２００に送信する。ロック機能有効化情報を受信した外部端末２００は、Ｔ４２において、図７に示すように、加熱調理器１０のロック機能の設定の有効化が完了したことを示す設定完了画像Ｇ４を表示部２１４に表示する。これにより、ユーザは、加熱調理器１０のロック機能の設定が有効化されたことを知ることができる。
【００４８】
本ケースでは、加熱調理器１０がＯＦＦ状態であるときに、外部端末２００からロック機能設定情報が送信される（Ｔ２２）。すなわち、加熱調理器１０が外部装置との通信を実行できないタイミングに外部端末２００からロック機能設定情報が送信される。このため、当該タイミングにはロック機能設定情報を加熱調理器１０に伝達することができない。しかしながら、本ケースでは、台所リモコン１００が、加熱調理器１０がＯＦＦ状態であると判断した場合には、外部端末２００から受信したロック機能設定情報を加熱調理器１０に送信せずにメモリ１５２に記憶する（Ｔ２６）。その後、台所リモコン１００は、加熱調理器１０の電源がＯＮ状態になったと判断すると（Ｔ３２）、記憶しておいたロック機能設定情報を加熱調理器１０に送信する（Ｔ３５）。
【００４９】
上記のように、加熱調理器１０がＯＦＦ状態である場合には、台所リモコン１００は、加熱調理器１０に伝達すべき情報を、加熱調理器１０がＯＦＦ状態からＯＮ状態に変化したときに送信する。このため、外部端末２００から送信される指示を確実に加熱調理器１０に伝達することができる。また、台所リモコン１００が、加熱調理器１０の状態に応じて伝達すべき情報の送信を行うか否かを判断するため、加熱調理器１０は、当該情報の受信を待機するために常時ＯＮ状態を維持する必要がない。このため、加熱調理器１０の消費電力を低減でき、乾電池の長寿命化を実現することができる。
【００５０】
（ケースＢ；図８）
ケースＢの初期状態では、加熱調理器１０の電源がＯＮ状態となっている。したがって、加熱調理器１０のＢＴＩ／Ｆ４０には電力が供給されており、加熱調理器１０は、外部装置との通信を実行することができる。また、本ケースの初期状態では、加熱調理器１０は、自動調理を実行中である。このため、外部端末２００から各種機能の設定等を実行する指示が送信されても、加熱調理器１０は、当該指示に従った動作を実行することができない。
【００５１】
Ｔ１１０及びＴ１１２は、図３のＴ１０及びＴ１２と同様である。台所リモコン１００は、Ｔ１１４において、状態情報要求をＢＴＩ／Ｆ１１０を介して加熱調理器１０に送信する。
【００５２】
加熱調理器１０は、Ｔ１１４において、状態情報要求を受信すると、Ｔ１１５において、自動調理を実行中であることを示す調理実行中情報をＢＴＩ／Ｆ４０を介して台所リモコン１００に送信する。
【００５３】
台所リモコン１００は、Ｔ１１５において調理実行中情報を受信すると、加熱調理器１０の状態が、ロック機能を有効化することができない状態であると判断する。このため、仮にロック機能設定情報を外部端末２００から受信しても、加熱調理器１０に送信せずにメモリ１５２に記憶する。台所リモコン１００は、Ｔ１１６において、調理実行中情報を無線ＬＡＮＩ／Ｆ１１２を介して外部端末２００に送信する。
【００５４】
外部端末２００は、Ｔ１１６において調理実行中情報を受信すると、Ｔ１１８において、図９に示すように、自動調理を実行中であることを示す実行中画像Ｇ５をホーム画面Ｓ１に表示する。これにより、ユーザは、現在加熱調理器１０が自動調理を実行中であるために、ロック機能を有効化することができない状態であることを知ることができる。Ｔ１２０〜Ｔ１２６は、図３のＴ２０〜Ｔ２６と同様である。
【００５５】
その後、加熱調理器１０は、Ｔ１３０において、自動調理を終了する。すると、加熱調理器１０は、Ｔ１３１において、状態情報として、自動調理が終了したことを示す終了情報を、ＢＴＩ／Ｆ４０を介して台所リモコン１００に送信する。
【００５６】
台所リモコン１００は、Ｔ１３１において終了情報を受信すると、Ｔ１３２において、終了情報を無線ＬＡＮＩ／Ｆ１１２を介して外部端末２００に送信する。
【００５７】
外部端末２００は、Ｔ１３２において終了情報を受信すると、Ｔ１３３において、加熱調理器１０の自動調理が終了したことを示す終了画像Ｇ６（図１０参照）をホーム画面Ｓ１に表示する。
【００５８】
一方、台所リモコン１００は、Ｔ１３１において終了情報を受信すると、加熱調理器１０の状態が、ロック機能を有効化することができる状態であると判断する。このため、台所リモコン１００は、Ｔ１３４において、Ｔ１２６で記憶したロック機能設定情報を加熱調理器１０に送信する。Ｔ１３４〜Ｔ１４２は、図３のＴ３５〜Ｔ４２と同様である。
【００５９】
本ケースでは、加熱調理器１０がＯＮ状態であるときに、外部端末２００からロック機能設定情報が送信される（Ｔ１２２）。すなわち、加熱調理器１０は、外部装置との通信を実行可能なタイミングに外部端末２００からロック機能設定情報が送信される。しかしながら、当該タイミングには、加熱調理器１０は自動調理を実行中であるため、ロック機能を有効化することができない。そこで、本ケースでは、台所リモコン１００が、加熱調理器１０のロック機能を有効化することができる状態であるか否かを判断する。具体的には、台所リモコン１００は、加熱調理器１０から状態情報として調理実行中情報を受信する（Ｔ１１５）と、加熱調理器１０のロック機能を有効化することができない状態であると判断する。この場合、台所リモコン１００は、外部端末２００から受信したロック機能設定情報を加熱調理器１０に送信せずにメモリ１５２に記憶する（Ｔ１２６）。その後、台所リモコン１００は、加熱調理器１０の自動調理が終了したと判断すると（Ｔ１３１）、記憶しておいたロック機能設定情報を加熱調理器１０に送信する（Ｔ１３４）。
【００６０】
上記のように、台所リモコン１００は、加熱調理器１０が特定の機能を実行中であるために、外部端末２００から送信される情報が示す動作を実行することができない状態であると判断した場合には、当該状態が解除されたときに当該情報を加熱調理器１０に送信する。このため、外部端末２００から送信される情報が示す動作を確実に加熱調理器１０に実行させることができる。
【００６１】
（実施例２）
（具体的なケースＣ；図１１）
実施例２では、外部端末２００から台所リモコン１００を介してロック機能設定情報を加熱調理器１０に伝達する際に、台所リモコン１００と加熱調理器１０との間で行われる処理が実施例１と異なる。ケースＣの初期状態は、ケースＡの初期状態と同様である。
【００６２】
Ｔ２１０〜Ｔ２２６は、図３のＴ１０〜Ｔ２６と同様である。台所リモコン１００は、Ｔ２２６においてロック機能設定情報をメモリ１５２に記憶すると、Ｔ２２８において、ロック機能設定情報をＢＴＩ／Ｆ１１０を介して加熱調理器１０に送信する。ここで、加熱調理器１０の電源はＯＦＦ状態となっている。このため、加熱調理器１０は、ロック機能設定情報を受信できない。しかしながら、本ケースでは、台所リモコン１００は、ロック機能設定情報を所定の間隔で加熱調理器１０に繰り返し送信する。
【００６３】
Ｔ２３０及びＴ２３２は、図３のＴ２８及びＴ３０と同様である。上述したように、台所リモコン１００は、ロック機能設定情報を台所リモコン１００に送信し続けている。このため、Ｔ２３２において電源がＯＮ状態となった加熱調理器１０は、Ｔ２３４において、台所リモコン１００から送信されたロック機能設定情報を受信する。すると、加熱調理器１０は、Ｔ２３６において、ロック機能設定情報を受信したことを示す受信済情報を、ＢＴＩ／Ｆ４０を介して台所リモコン１００に送信する。
【００６４】
台所リモコン１００は、Ｔ２３６において受信済情報を受信することに応じて、Ｔ２３８において、ロック機能設定情報の送信を中止する。その後のＴ２４０〜Ｔ２４６は、図３のＴ３６〜Ｔ４２と同様である。
【００６５】
本ケースでは、台所リモコン１００は、加熱調理器１０がロック機能設定情報を受信するか否かに関わらず、ロック機能設定情報を加熱調理器１０に送信し続ける（Ｔ２２８、Ｔ２３４）。そして、台所リモコン１００は、加熱調理器１０からの受信済情報の受信に応じて（Ｔ２３６）、ロック機能設定情報の送信を中止する（Ｔ２３８）。このため、本ケースでは、ロック機能設定情報の送信を繰り返すという簡易な構成でシステムを構築することができる。
【００６６】
（対応関係）
台所リモコン１００が、「中継装置」の一例である。ロック機能の有効化が、「所定の動作」の一例である。ロック機能設定情報が、「指示情報」の一例である。無線ＬＡＮＩ／Ｆ２１２が、「端末側通信部」の一例である。ＢＴＩ／Ｆ４０が、「調理器側通信部」の一例である。メモリ１５２が、「記憶部」の一例である。コンロ操作部１６、グリル操作部２６が、「操作部」の一例である。Ｂｌｕｅｔｏｏｔｈが、「近距離無線通信規格」の一例である。
【００６７】
（変形例１）「加熱調理器」は、ガス燃焼式のビルトインコンロに限られず、例えば、ＩＨ調理器、電気オーブンであってもよい。
【００６８】
（変形例２）「中継装置」は、台所リモコン１００に限られず、例えば、無線通信を実行可能な加熱調理器１０の周辺機器（例えば、レンジフード、食器洗浄機等）やサーバ３００であってもよい。
【００６９】
（変形例３）上述した各実施例では、外部端末２００は、加熱調理器１０にロック機能の有効化を指示するロック機能設定情報を送信した。しかしながら、外部端末２００から加熱調理器１０に送信される情報はこれに限られない。例えば、加熱調理器１０のロック機能が有効化されている場合に、当該ロック機能の無効化を指示する情報であってもよいし、加熱調理器１０の自動調理の設定の変更を指示する情報等であってもよい。
【００７０】
（変形例４）上述した実施例１のケースＢでは、加熱調理器１０が自動調理を実行中である場合（図８のＴ１１５）には、台所リモコン１００は、ロック機能設定情報を加熱調理器１０に送信しなかった。しかしながら、台所リモコン１００は、加熱調理器１０が自動調理を実行中であってもロック機能設定情報を加熱調理器１０に送信してもよい。加熱調理器１０は、自動調理の実行中にロック機能設定情報を受信した場合、自動調理に優先してロック機能を有効化してもよいし、受信したロック機能設定情報をメモリ５２に記憶しておき、自動調理が終了したときに、ロック機能を有効化してもよい。
【００７１】
（変形例５）上述した各実施例では、外部端末２００は、ユーザによるロック設定操作の入力を受け付けた場合（図３のＴ２０、図８のＴ１２０、図１１のＴ２２０）、ロック機能設定情報を台所リモコン１００に送信した（Ｔ２２、Ｔ１２２、Ｔ２２２）。しかしながら、外部端末２００は、ロック設定操作の入力を受け付けた際に、加熱調理器１０の電源がＯＦＦ状態である場合、または、加熱調理器１０が自動調理を実行中である場合には、ロック機能の有効化の予約を行うか否かをユーザに選択させるための画面を表示してもよい。そして、外部端末２００は、ユーザによりロック機能の有効化の予約を行う操作が入力された場合に、ロック機能設定情報を台所リモコン１００に送信してもよい。
【００７２】
（変形例６）図４〜図７、図９及び図１０に示した表示態様は一例であり、他の表示態様を用いてもよい。
【００７３】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７４】
１：加熱調理システム、６：インターネット、１０：加熱調理器、１０ａ：本体、１０ｂ：天板、１０ｃ：前面、１１：グリル庫、１１ａ：グリル扉、１２：コンロバーナ、１４：コンロ表示部、１６：コンロ操作部、２２：グリルバーナ、２４：グリル表示部、２６：グリル操作部、３０：電源スイッチ、４０：ＢＴＩ／Ｆ、５０：制御部、５２：メモリ、５４：プログラム、６１ａ〜６１ｃ：加熱量操作部、６２ａ〜６２ｃ：パネル操作部、６３：加熱量操作部、６４：パネル操作部、１００：台所リモコン、１１２：無線ＬＡＮＩ／Ｆ、１５０：制御部、１５２：メモリ、１５４：プログラム、２００：外部端末、２１２：無線ＬＡＮＩ／Ｆ、２１４：表示部、２５０：制御部、２５２：メモリ、２５４：プログラム、２５６：調理器アプリ、３００：サーバ
【図１】
2020120165.tif 000003
【図２】
2020120165.tif 000004
【図３】
2020120165.tif 000005
【図４】
2020120165.tif 000006
【図５】
2020120165.tif 000007
【図６】
2020120165.tif 000008
【図７】
2020120165.tif 000009
【図８】
2020120165.tif 000010
【図９】
2020120165.tif 000011
【図１０】
2020120165.tif 000012
【図１１】
2020120165.tif 000013